(57)【特許請求の範囲】
【請求項１】
断面矩形の管が挿入される環体と、この環体の内周面に周方向に複数設けた、鼓型形状の管移送用回転ローラとよりなり、
上記各回転ローラの回転軸は、上記環体の軸方向に対し傾斜する方向に向いており、
上記鼓型形状の回転ローラの外周縁形状は、上記環体を正面（軸方向側）から見たときに、上記回転ローラの外周縁の見た目の形状が、直径が上記管の対角線の距離である円弧と見えるような形状であり、
隣接する上記回転ローラ同士が、上記環体の軸方向において、互いに重なって設けられていることを特徴とする管移送用ガイド装置。
【発明の詳細な説明】
【技術分野】
【０００１】
本発明は管移送用ガイド装置、特に、角鋼管をその軸方向に移送できると共に、上記角鋼管の軸周りにも回転自在な管移送用ガイド装置に関するものである。
【背景技術】
【０００２】
図６及び図７は、円鋼管をその軸方向に移送する従来の管移送用ガイド装置を示し、この管移送用ガイド装置１は、断面が円形の円鋼管２をその外周面下部の左右からそれぞれ支持する左右一対のガイド機構３，３と、この左右一対のガイド機構３，３を固定する固定台４とよりなる。
【０００３】
また、上記左右一対の各ガイド機構３は、それぞれ傾斜面を有する球体受け台５と、この球体受け台５の傾斜面に上下方向に配置した、回転自在な２つの球体６とよりなり、また、左右のガイド機構３，３は互いに傾斜面が向かい合うように配置され、上記円鋼管２をその外周面下部の左右からそれぞれ支持できるようになっている。
【０００４】
上記従来の管移送用ガイド装置１は上記のような構成であるから、図７に示すように、上記管移送用ガイド装置１の複数を、所望の間隔を開けて一直線上に設置して、この複数の管移送用ガイド装置１上に円鋼管２を載置すれば、上記円鋼管２をその軸方向に移送できるようになる。
【０００５】
また、上記球体６は回転方向を問わず回転自在であるから、上記円鋼管２は、その軸周りにも回転できるようになる。
【０００６】
このような従来の管移送用ガイド装置としては、例えば、特許文献１がある。
【先行技術文献】
【特許文献】
【０００７】
【特許文献１】特開平１０−２７９０２９号公報
【発明の概要】
【発明が解決しようとする課題】
【０００８】
しかしながら、上記従来の管移送用ガイド装置１においては、断面が矩形の角鋼管の場合には、図８に示すように、上記角型鋼管７をその軸方向に移送できても、その軸周りに回転させることができないという欠点があった。
【０００９】
本発明は、上記の欠点を除くようにしたものである。
【課題を解決するための手段】
【００１０】
本発明の管移送用ガイド装置は、断面矩形の管が挿入される環体と、この環体の内周面に周方向に複数設けた、鼓型形状の管移送用回転ローラとよりなり、上記各回転ローラの回転軸は、上記環体の軸方向に対し傾斜する方向に向いており、上記鼓型形状の回転ローラの外周縁形状は、上記環体を正面（軸方向側）から見たときに、上記回転ローラの外周縁の見た目の形状が、直径が上記管の対角線の距離である円弧と見えるような形状であり、隣接する上記回転ローラ同士が、上記環体の軸方向において、互いに重なって設けられていることを特徴とする。
【発明の効果】
【００１４】
本発明によれば、角鋼管であっても、その軸方向に移動自在のみならず、その軸周りに対しても回転自在であるという大きな利益がある。
【図面の簡単な説明】
【００１５】
【図１】本発明の管移送用ガイド装置の正面図である。
【図２】本発明の管移送用ガイド装置の斜視図である。
【図３】本発明の管移送用ガイド装置のローラ装置の斜視図である。
【図４】本発明の管移送用ガイド装置の円環体を展開した一部を示す図である。
【図５】本発明の管移送用ガイド装置の説明用正面図である。
【図６】従来の管移送用ガイド装置の正面図である。
【図７】従来の管移送用ガイド装置の使用状態を示す側面図である。
【図８】従来の管移送用ガイド装置の使用状態を示す側面図である。
【発明を実施するための形態】
【００１６】
以下図面によって本発明の実施例を説明する。
【実施例１】
【００１７】
図１は、本発明の管移送用ガイド装置の正面図、図２は、その斜視図である。また、図３は、上記管移送用ガイド装置のローラ装置の斜視図であり、図４は、上記管移送用ガイド装置の円環体を展開した一部を示す図である。
【００１８】
本発明の管移送用ガイド装置は、図１〜図４に示すように、例えば、一辺３００ｍｍの断面が矩形の角鋼管７が挿入される、直径約９００ｍｍ、長さ２００ｍｍの断面が円形の円環体８と、この円環体８の内周面に円周方向に複数設けられた管移送用回転ローラ装置９とよりなり、上記ローラ装置９は、例えば、等間隔に１０個設けられている。
【００１９】
また、上記各ローラ装置９は、図３に示すように、外周面の中央部が窪んだ、鼓型形状の回転ローラ１０と、この回転ローラ１０をその軸周りに回転自在に支持するローラ受台１１とよりなる。そして、上記回転ローラ１０の回転軸（Ａ）は、図４に示すように、上記円環体８を展開した図において、上記円環体８の軸方向（Ｂ）とこれに直交する方向（Ｃ）との間の方向を向き、上記回転ローラ１０の回転軸（Ａ）は、上記直交する方向（Ｃ）に対して、上記円環体８の軸方向（Ｂ）側にθ度だけ傾斜している。そして、その傾斜度θは、例えば４５度である。
【００２０】
また、図４に示すように、上記円環体８を展開した図において、隣接する回転ローラ１０同士は、上記円環体８の軸方向（Ｂ）において、互いに一部重なって設けられている。これにより、図１及び図５に示すように、上記回転ローラ１０により上記円環体８内に支持された角鋼管７がその軸周りに回転しても、上記角鋼管７の角部７ａが隣接する回転ローラ１０間から脱落することがない。
【００２１】
また、上記鼓型形状の回転ローラ１０の外周縁形状１０ａは、例えば、図１及び図４に示すように、直径が、角鋼管７の対角線の距離Lである円弧形状とする。これにより、上記管移送用ガイド装置を正面（軸方向側）から見たとき、全ての回転ローラ１０で形成される外周縁の見た目の形状が、略円に見えるような形状となり、角鋼管７が上記円環体８内をその軸周りに回転することができるようになる。
【００２２】
なお、上記ローラ１０の外周縁形状１０ａを円弧形状とする代わりに、上記ローラ１０の外周縁形状１０ａを、上記管移送用ガイド装置を正面（軸方向側）から見たときに、上記回転ローラ１０の外周縁の見た目の形状が、直径が角鋼管７の対角線の距離Lである円弧と見えるような、形状としてもよい。
【００２３】
この場合、上記管移送用ガイド装置を正面から見たときに、全ての回転ローラ１０で形成される外周縁の見た目の形状１２が円となり、角鋼管７がスムーズに円環体８内をその軸周りに回転することができるようになる。
【００２４】
本発明の管移送用ガイド装置は上記のような構成であるから、上記管移送用ガイド装置の円環体８に角鋼管７を挿入し、回転ローラ装置９上に載置すれば、上記管鋼管７をその軸方向に移動できると共に、図１及び図５に示すように、角鋼管７をその軸周りに回転できるようになる。
【００２５】
即ち、上記角鋼管７の角７ａが、それぞれ各ローラ１０に支持されたまま、回転することができるようになる。
【００２６】
なお、上記角鋼管７の断面には正方形や長方形がある。
【００２７】
本発明によれば、角鋼管をその軸方向に移送できると共に、上記角鋼管の軸周りに回転できるようになる。
【００２８】
なお、上記円環体８は上部などの一部が開放されていてもよく、また、上記ローラ装置９は、円環体８の内周面の下部分のみに設けてもよい。また、上記円環体８を楕円環体や角環体などにしてもよく、この場合には、上記角ローラ装置９の大きさを変えるようにする。
【００２９】
また、上記ローラ装置９は、角鋼管７の径が大きくなるほど、数を多くするのが好ましい。また、上記ローラ装置９の数が多い程、スムーズに角鋼管７が回転するようになる。
【符号の説明】
【００３０】
１    管移送用ガイド装置
２    円鋼管
３    ガイド機構
４    固定台
５    球体受け台
６    球体
７    角鋼管
７ａ  角
８    円環体
９    ローラ装置
１０  回転ローラ
１０ａ  外周縁形状
１１  ローラ受台
１２  形状
【図１】
0005543554.tif 000002
【図２】
0005543554.tif 000003
【図３】
0005543554.tif 000004
【図４】
0005543554.tif 000005
【図５】
0005543554.tif 000006
【図６】
0005543554.tif 000007
【図７】
0005543554.tif 000008
【図８】
0005543554.tif 000009